(57)【要約】【課題】  容器本体と蓋体とを止着するスポット溶着部の分離と納豆上面からの乾燥防止用フィルムの引き剥がしを容易にした納豆容器の提供を図る。【解決手段】  容器本体と、蓋体と、乾燥防止用フィルムと、で構成される納豆容器において、乾燥防止用フィルムを一辺が開口する袋状にヒートシール溶着し、さらに分割可能な分割フランジ部の両コーナー部の両端にスポット溶着した蓋体を単純に開閉することで、容器本体から蓋体を開閉する際に容器本体と蓋体とを止着するスポット溶着によって開封しづらい問題や、乾燥防止用フィルムを納豆の上面から引き剥がす際の糸引きによって指先や食卓が汚れる問題や、使用済みのからし袋やタレ袋の廃棄処分に困る問題を解決する手段を採る。【選択図】図１
2013180798.tif 000002
【特許請求の範囲】
【請求項１】
納豆が充填される充填部を備える容器本体と、該容器本体にヒンジ部を介して開閉ならびに分割可能に連設される蓋体と、納豆上面の乾燥防止を図る乾燥防止用フィルムと、
で構成される納豆容器において、
前記容器本体は、充填部の上端周縁に鍔状に延設されるフランジ部を形成すると共に、該フランジ部のフロントフランジ部に分割可能な分割フランジ部を形成して成り、
前記蓋体は、前記容器本体の充填部ならびにフランジ部全体の上面を覆う方形の大きさに形成し、該充填部上端周縁を略コの字状に囲むヒートシール剤塗布領域を前記ヒンジ部に対して直交する側の一方を開口して内側底面に設けて成り、
前記乾燥防止用フィルムは、前記容器本体の充填部に充填された納豆の上面を被覆すると共に、前記フランジ部全体の上面を覆う方形の大きさに形成し、さらに該方形の一辺に切欠き開口口を設けて成り、
前記蓋体と前記乾燥防止用フィルムとを前記ヒートシール剤塗布領域に沿ってヒートシール溶着すると共に、前記乾燥防止用フィルムを前記蓋体と前記容器本体の分割フランジ部とで挟み込んだ状態でスポット溶着したことを特徴とする納豆容器。
【請求項２】
前記乾燥防止用フィルムの周縁の一部に切欠きコーナー部を設けたことを特徴とする請求項１記載の納豆容器。
【請求項３】
前記乾燥防止用フィルムの周縁に切込みラインを複数設けたことを特徴とする請求項１記載の納豆容器。
【請求項４】
前記乾燥防止用フィルムが、前記容器本体の充填部を凹部状に被覆すると共に前記フランジ部の上面全体を被覆する形状に成型された薄膜成型シートから成り、
該凹部状の一方の側壁面に切欠き開口部が設けられていることを特徴とする請求項１記載の納豆容器。
【請求項５】
前記容器本体の充填部ならびにフランジ部全体の上面を覆う方形の大きさに形成した押え込みフランジ部を前記容器本体のフロントフランジ部に折り畳みヒンジ部を介して対称に形成して連接し、
該押さえ込みフランジ部の中央に前記充填部の開口部と同形状の開口穴を設けると共に、前記蓋体のヒンジ部側と前記押さえ込みフランジ部のフロントフランジ部側のコーナー部の両端にスポット溶着部を設け、
前記容器本体のヒンジ部側に該スポット溶着部を回避する切欠き部を設けたことを特徴とする請求項１記載の納豆容器。
【発明の詳細な説明】
【技術分野】
【０００１】
本発明は、容器本体に分割フランジ部を設けて容器本体と蓋体とを止着するスポット溶着部の分離を容易にすると共に、蓋体にヒートシール剤塗布領域を備えて納豆上面からの乾燥防止用フィルムの引き剥がしを容易にした納豆容器に関する。
【背景技術】
【０００２】
現在、納豆の収納容器として使われている発泡ポリスチレン樹脂（ＰＳ）製の納豆容器は、軽量且つ安価である上、製造工程における生産の容易性と流通・販売過程における機能性と効率性が高いことから1960年代以降の納豆の消費拡大傾向に大きく貢献したとも言われ、今なお、納豆容器を構成する容器本体、蓋体、乾燥防止用フィルムにおいては新たな改良が加えられている。
【０００３】
例えば、容器本体においては、底に凹凸溝を設けて納豆を掻き混ぜる際に糸を引くような構造としたり、からしやタレの収納部を設けたり、表面を樹脂膜でシールドするなどの提案がなされ、蓋体においては、納豆の発酵を促すための通気孔を設けたり、剛性や重ね易い形状を得るための補強リブを設けたり、食べ易いように分割ができるミシン目を入れたりした提案がなされ、乾燥防止用フィルムにおいては、納豆上面の乾燥を防止したり、納豆上面からの糸引きを防止したり、からし袋やタレ袋を分離する役目を果たしたり、納豆の発酵を促すための通気孔を設けたりする種々の提案がなされている。
【０００４】
しかしながら、現在使われている納豆容器の多くは、容器本体から蓋体を開閉する際に容器本体と蓋体とを止着するスポット溶着によって開封しづらい問題や、乾燥防止用フィルムを納豆の上面から引き剥がす際の糸引きによって指先や食卓が汚れる問題や、使用済みのからし袋やタレ袋の廃棄処分の方法に困る問題などが指摘されるものであった。
【０００５】
従来より、上記の問題点を解決しようとする種々の提案がなされている。その容器本体と蓋体がスポット溶着によって開封しづらい問題に関しては、例えば、「食品容器及び包装容器」（特許文献１参照）が提案されている。該提案は、食品又は食品原料を充填する充填部と、この充填部にヒンジ部を介して連設される蓋部とからなる容器基材と、該容器基材の前記充填部の内面側とそれに連なる前記蓋部の面側とに剥離可能に積層された剥離フィルム層とを備えた食品容器において、前記充填部の開口周縁に設けられたフランジ部の前記ヒンジ部に対向する側の一部に形成される接合部を含む領域を、他部から分割可能な開封用切り取りラインが設けられた提案である。
【０００６】
しかしながら、上記の係る提案は容器と蓋部の内面側に剥離フィルム層を設けて容器の洗浄を省略する目的で構成されるものであり、また充填部のフランジ部の切り取り部は、容器と蓋部のスポット溶着による融着を回避するために開封用切り取りラインによってスポット溶着した状態で他部から一部（切り取り部）を切り離す目的で設けられるものである。従がってフィルム剥離用切り取りラインが充填部のフランジ部のコーナー部の何れか一方に設けられることが必須となることから、必然的に開封用切り取りラインは充填部のフランジ部の両コーナー部を避けた一部領域に設けなければならず、結果的に図１（ａ）に示すような両コーナー部が含まれない開封用切り取りラインの三辺で形成される切り取り部が設けられることになり、切り取る力の入れ具合によっては一度で切り取ることができない場合が発生するもので、その場合、掴み直して切り取らなければならないなど面倒な不具合が発生するものであった。さらにスポット溶着部に関してもフィルム剥離用切り取りラインの位置関係から理想的な容器本体と蓋体のフランジ部の両コーナー部に設けることができないため、両コーナー部が捲り上がって隙間が発生することで納豆上面の乾燥を進行させてしまう問題があるものであった。
【０００７】
それに対して本発明の納豆容器における分割フランジ部は、容器本体のフランジ部と蓋体とを止着するスポット溶着の融着によって開封しづらい状態を回避できることと、容器本体のフランジ部との間に乾燥防止用フィルムを狭持して乾燥防止用フィルムの開閉時の離脱を防止することを目的として設けられるもので、容器本体のヒンジ部と対向するフランジ部の一部（以下フロントフランジ部と言う）に限定されることなく両コーナー部を含むフランジ部の全領域を一辺の直線状の分割スリットによって設けられ、さらにスポット溶着部も理想的な容器本体のフランジ部の両コーナー部に設けることができるもので、本発明の納豆容器と食品容器及び包装容器（特許文献１）はその目的と構造を大きく異にするものである。
【０００８】
また、乾燥防止用フィルムに付着する納豆粘液の糸引きよって指先や食卓を汚す問題に関しては、例えば、「納豆被覆フィルム及び該納豆被覆フィルムを用いた納豆収納容器」（特許文献２参照）や、「納豆容器」（特許文献３参照）や、「被覆フィルム巻取具添付納豆収納容器」（特許文献４参照）が提案されている。
【０００９】
上記の「納豆被覆シート及び該納豆被覆シートを用いた納豆収納容器」（特許文献２）の係る提案は、蓋体が開閉自在に設けられた収納容器内に収納される納豆の上面を被覆するための納豆被覆シートであって、該納豆被覆シートは、納豆の上面を被覆する被覆シート部と、該被覆シート部の中央線部に基端部が固着されるシート片とから成り、該被覆シート部が、前記収納容器内に収納された納豆上面を被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして折り畳まれて引き出されるように構成された提案である。
【００１０】
また、上記の「納豆容器」（特許文献３）の係る提案は、納豆が充填される容器本体と、開閉可能な蓋体と、容器本体内部に充填された納豆の上面に敷設される乾燥防止シートと、からなる納豆容器において、容器本体の一端辺と蓋体の一端辺と乾燥防止シートの一端辺を重ね合せて固定し、乾燥防止シートの固定された一端辺とは反対側の一端辺に糸状の引っ張り手段の一端を結合するとともに、糸状の引っ張り手段の他端を容器本体の一端辺と蓋体の一端辺の固定した隙間から容器の外に出した提案である。
【００１１】
また、上記の「被覆フィルム巻取具添付納豆収納容器」（特許文献４）の係る提案は、略凹状に形成された納豆入りの容器本体と、前記納豆上面を被覆する被覆フィルムと、該容器開口部を開閉自在に閉塞する蓋体とからなる納豆収納容器の内部空間に、径が略２〜８ｍｍ、長さが該納豆収納容器に納まる範囲内寸法であり、かつ、少なくとも一端の切り口に凸部、小突起、又は凹凸が１つ以上あり、又は該一端の切り口から他端方向へ略７ｍｍ以内の切り口隣接先端部の表面に凸部、小突起、又は長軸方向に形成された細長い隆起が１つ以上あり、又は該一端切り口隣接先端部が柱体又は略錐体であって該柱体又は略錐体の横断面に略９０度以下の角が一箇所以上あり、以上の如く形成することにより先端部の回転摩擦力を大きくした棒体又は管形体であって、該納豆を食する直前に、前記納豆上面を被覆する被覆フィルムの略中央に前記棒体又は管形体の該一端先端部を垂直に当てがい、少し押圧しつつ前記棒体又は管形体を人指し指と親指を使って長軸を中心に回転させ、その際の、該一端先端部表面と該被覆フィルムとの間に生じる回転摩擦により、前記棒体又は管形体に前記被覆フィルムを渦巻き状に巻き取る被覆フィルム巻取具を収納した提案である。
【００１２】
しかしながら上記の係る提案の何れも被覆シート（被覆フィルム・乾燥防止シート）を納豆付着面の内側に折り畳んだり、糸で引っ張り出したり、棒で絡め取ったりするもので、最終的には被覆シートを充填される納豆の上面から横方向に剥がし取る手段を採っているもので、被覆シートを納豆の上面から横方向に剥し取る手段を採っている限りは被覆シートの末端部から納豆粘液の糸引きが容器外に垂れ落ちてしまうものであり、納豆に付着する納豆粘液の糸引きが指先や食卓を汚す問題を解決するものではなかった。
【００１３】
それに対して本発明の納豆容器における乾燥防止用フィルムは、容器本体の充填部に充填された納豆の上面を被覆すると共に、フランジ部全体の上面を覆う方形の大きさに形成し、さらに蓋体と乾燥防止用フィルムとをヒートシール溶着して一辺が開口する袋状にすると共に、蓋体と容器本体の分割フランジ部とで乾燥防止用フィルムを挟み込んだ状態でスポット溶着した手段を採っていることで、乾燥防止用フィルムに付着した納豆粘液の糸引きを容器本体の充填部で受け止めることができる構造であることから、本発明の納豆容器と「納豆被覆フィルム及び該納豆被覆フィルムを用いた納豆収納容器」（特許文献２）や、「納豆容器」（特許文献３）や、「被覆フィルム巻取具添付納豆収納容器」（特許文献４）とは、その手段と構造を大きく異にするものである。
【００１４】
また、使用済みのからし袋やタレ袋の廃棄処分の方法に困る問題に関しては、例えば「納豆容器」（特許文献５）が提案されている。該提案は略凹状に形成された収納部本体と、該収納部本体の一側からヒンジ部を介して連設された共蓋と、を天然素材または合成樹脂で一体成形すると共に、上記ヒンジ部に沿って切断手段が形成された薄肉切断部を成形し、該薄肉切断部における切断の引張力を0.8ｋｇ以上乃至３ｋｇ以下とした提案であるが、係る技術は、単に収納部本体と共蓋をミシン目による切断手段が形成されたものに過ぎず、当業者においては周知の技術であって特に新規性・進歩性を満たす提案とは言えないものであった。
【００１５】
それに対して本発明の納豆容器の蓋体は、ヒンジ部に直角方向に折って分割やすい切断されている箇所と、連結されている箇所が交互に連続して形成される分割スリットを設けることによって、容器本体と蓋体を分離することで分離された蓋体の上に使用済みのからし袋やタレ袋を便宜的に置くことができるもので、さらに乾燥防止用フィルムが、一辺が開口する袋状にヒートシール溶着されることによって，その中に使用済みのからし袋やタレ袋を入れて容器本体と蓋体と乾燥防止用フィルムとを同時に廃棄処分することができるものであって、本発明の納豆容器と「納豆容器」（特許文献５）とは、その構造と廃棄処分の手段を大きく異にするものである。
【００１６】
本出願人は、以上のような従来の納豆容器の係る問題点を解決するために、スポット溶着の溶着構造と乾燥防止用フィルムの引き剥がし構造に着目し、容器本体から蓋体を上方に開閉する際に容器本体と蓋体とを止着するスポット溶着によって開封しづらい問題や、乾燥防止用フィルムを納豆の上面から引き剥がす際の糸引きによって指先や食卓が汚れる問題や、使用済みのからし袋やタレ袋の廃棄処分の方法に困る問題などを簡単な構造や手段で改善することができないものかとの着想の下、容器本体に分割フランジ部を設けて容器本体と蓋体とを止着するスポット溶着部の分離を容易にすると共に、蓋体にヒートシール剤塗布領域を備えて納豆上面からの乾燥防止用フィルムの引き剥がしを容易にした納豆容器を開発し、本発明の「納豆容器」の提案に至るものである。
【先行技術文献】
【特許文献】
【００１７】
【特許文献１】特開２００５-１５３９６号公報
【特許文献２】特開２００７-４５４７８号公報
【特許文献３】特開２００９-１３３２号公報
【特許文献４】特開２００６-２２５０３４号公報
【特許文献５】特開平１０-３０５８８６号公報
【発明の概要】
【発明が解決しようとする課題】
【００１８】
本発明は上記問題点に鑑み、容器本体に分割フランジ部を設けて容器本体と蓋体とを止着するスポット溶着部の分離を容易にすると共に、蓋体にヒートシール剤塗布領域を備えて納豆上面からの乾燥防止用フィルムの引き剥がしを容易にした納豆容器の提供を図る。
【課題を解決するための手段】
【００１９】
本発明の納豆容器は、納豆が充填される充填部を備える容器本体と、該容器本体にヒンジ部を介して開閉ならびに分割可能に連設される蓋体と、納豆上面の乾燥防止を図る乾燥防止用フィルムと、で構成される納豆容器において、前記容器本体は、充填部の上端周縁に鍔状に延設されるフランジ部を形成すると共に、該フランジ部のフロントフランジ部に分割可能な分割フランジ部を形成して成り、前記蓋体は、前記容器本体の充填部ならびにフランジ部全体の上面を覆う方形の大きさに形成し、該充填部上端周縁を略コの字状に囲むヒートシール剤塗布領域を前記ヒンジ部に対して直交する側の一方を開口して内側底面に設けて成り、前記乾燥防止用フィルムは、前記容器本体の充填部に充填された納豆の上面を被覆すると共に、前記フランジ部全体の上面を覆う方形の大きさに形成し、さらに該方形の一辺に切欠き開口口を設けて成り、前記蓋体と前記乾燥防止用フィルムとを前記ヒートシール剤塗布領域に沿ってヒートシール溶着すると共に、前記乾燥防止用フィルムを前記蓋体と前記容器本体の分割フランジ部とで挟み込んだ状態でスポット溶着した手段を採る。
【００２０】
また本発明の納豆容器は、前記乾燥防止用フィルムの周縁の一部に切欠きコーナー部を設け、あるいは、該乾燥防止用フィルムの周縁に切込みラインを複数設けた手段を採る。
【００２１】
また本発明の納豆容器は、前記乾燥防止用フィルムが、前記容器本体の充填部を凹部状に被覆すると共に前記フランジ部の上面全体を被覆する形状に成型された薄膜成型シートから成り、該凹部状の一方の側壁面に切欠き開口部が設けられている手段を採る。
【００２２】
また本発明の納豆容器は、前記容器本体の充填部ならびにフランジ部全体の上面を覆う方形の大きさに形成した押え込みフランジ部を前記容器本体のフロントフランジ部に折り畳みヒンジ部を介して対称に形成して連接し、該押さえ込みフランジ部の中央に前記充填部の開口部と同形状の開口穴を設けると共に、前記蓋体のヒンジ部側と前記押さえ込みフランジ部のフロントフランジ部側のコーナー部の両端にスポット溶着部を設け、前記容器本体のヒンジ部側に該スポット溶着部を回避する切欠き部を設けた手段を採る。
【発明の効果】
【００２３】
本発明の納豆容器によれば、スポット溶着される容器本体のフランジ部の一部を分割スリットによって分離可能とし、乾燥防止用フィルムを蓋体の内側底面に袋状にヒートシール溶着することで、容器本体に分割フランジ部を設けて容器本体と蓋体とを止着するスポット溶着部の分離を容易にすると共に、蓋体にヒートシール剤塗布領域を備えて納豆上面からの乾燥防止用フィルムの引き剥がしが容易にできる優れた効果を奏する。
【００２４】
また本発明の納豆容器によれば、パック詰工程では、からし袋やタレ袋を納豆上面に敷設された乾燥防止用フィルム上に機械的に同包することができる上、蓋体の開封時には、からし袋やタレ袋が納豆上面と分離した状態（一辺が開口する袋状にヒートシール溶着された乾燥防止用フィルム内に収まった状態）で上方に開閉することができるため、食する時の乾燥防止用フィルムを剥がす行為自体を省略することができる優れた効果を奏する。
【００２５】
また本発明の納豆容器によれば、乾燥防止用フィルムを一辺が開口する袋状にヒートシール溶着し、さらに分割可能な分割フランジ部をスポット溶着して蓋体を単純に上方に開閉することで、容器本体と蓋体とを止着するスポット溶着によって開封しづらい問題や、乾燥防止用フィルムを納豆の上面から引き剥がす際の糸引きによって指先や食卓が汚れる問題や、使用済みのからし袋やタレ袋の廃棄処分の方法に困る問題を解決することができる優れた効果を奏する。
【００２６】
また本発明の納豆容器によれば、フロントフランジ部に乾燥防止用フィルムを分割可能な分割フランジ部と蓋体とで、挟み込んだ状態でスポット溶着することによって、分割フランジ部が分割スリットによって切り離されるため、からし袋やタレ袋を収納した状態で蓋体の開閉が容易にできる優れた効果を奏する。
【００２７】
また本発明の納豆容器によれば、納豆の上面を被覆する乾燥防止用フィルムが、蓋体にヒートシール溶着されて蓋体と共に開閉されて上方に段階的に引き剥がされるため、納豆粘液の糸引きを最小限に留めることができると共に糸引き現象が起きた場合、その糸引きが容器本体の充填部で受け止める構造であるため、指先や食卓が汚れない優れた効果を奏する。
【００２８】
また本発明の納豆容器によれば、乾燥防止用フィルムが一辺が開口する袋状にヒートシール溶着されることによって、その中に使用済みのからし袋やタレ袋を入れて容器と蓋体と乾燥防止用フィルムとを同時に廃棄処分することができる優れた効果を奏する。
【００２９】
また本発明の納豆容器によれば、容器製造メーカーと納豆製造メーカーにおける本発明の納豆容器の仕様による製造工程は、従来の納豆容器の製造加工と同時加工できることから製造時間が延長される新たな製造工程が発生しない優れた効果を奏する。
【００３０】
また本発明の納豆容器によれば、乾燥防止用フィルムを成型された薄膜成型シートとすることによって、納豆製造時の乾燥防止用フィルムを熱線ヒーターで焼き切る工程が省略されるなどの製造工程の簡素化が図れると共に、製造時ならびに納豆を食する時の成型された薄膜成型シートの取扱いが極めて容易な優れた効果を奏する。
【００３１】
また本発明の納豆容器によれば、蓋体を上方に開閉した時に乾燥防止用フィルムの周縁を押さえ込みフランジ部で囲むことによって、乾燥防止用フィルムが安定的且つ、見た目にも綺麗に押さえ込むことができる優れた効果を奏する。
【図面の簡単な説明】
【００３２】
【図１】本発明における請求項１記載の納豆容器の全体を示す説明図である。（実施例１）
【図２】本発明における請求項１記載の納豆容器のパック詰工程を示す説明図である。
【図３】本発明における請求項１記載の納豆容器の開封状態を示す手順図である。
【図４】本発明における請求項２記載の納豆容器の乾燥防止用フィルムの実施形態を示す説明図である。（実施例２）
【図５】本発明における請求項３記載の納豆容器の乾燥防止用フィルムの実施形態を示す説明図である。（実施例３）
【図６】本発明における請求項４記載の納豆容器の全体を示す説明図である。（実施例４）
【図７】本発明における請求項４記載の納豆容器のパック詰工程を示す説明図である。
【図８】本発明における請求項４記載の納豆容器の開封状態を示す手順図である。
【発明を実施するための形態】
【００３３】
本発明の納豆容器は、容器本体と、蓋体と、乾燥防止用フィルムと、で構成される納豆容器において、容器本体に分割フランジ部を設けて容器本体と蓋体とを止着するスポット溶着部の分離を容易にすると共に、蓋体にヒートシール剤塗布領域を備えて納豆上面からの乾燥防止用フィルムの引き剥がしを容易にする手段を採ったことを最大の特徴とするもので、以下、実施例を図面に基づいて説明する。
【００３４】
本発明の納豆容器の寸法ならび形状は、下記に述べる実施例に特に限定されるものでなく、本発明の技術的思想に逸脱しない範囲で任意に変更することができる。また、図示されている納豆容器は、凹凸溝、補強リブ、通気孔等の本発明の実施要件に属さない機能ならびに形状については図示を省略している。
【実施例１】
【００３５】
図１は、本発明における請求項１記載の納豆容器の全体を示す説明図である。
本発明の納豆容器１は、例えば発泡ポリスチレン（ＰＳ）等の熱可塑性発泡樹脂体を素材として形成され、納豆Ｎが充填される充填部１１を備える容器本体１０と、該容器本体１０にヒンジ部１２を介して開閉ならびに分割可能に連設される蓋体２０と、納豆上面の乾燥防止を図る乾燥防止用フィルム３０と、で構成される。
【００３６】
容器本体１０は、納豆菌が散布された納豆Ｎを収納すると共に、熟成ならびに冷却を行う方形状の収納領域を形成する充填部１１と、該充填部１１の上端周縁に鍔状に延設されるフランジ部１３とを形成して構成される。
【００３７】
ヒンジ部１２は、容器本体１０から蓋体２０を開閉するもので、容器本体１０のフランジ部１３の一辺と、蓋体２０のヒートシール部２１の一辺の中間位置に設けて蓋体２０を上方に開閉するものである。
【００３８】
フランジ部１３は、容器本体１０の収納領域を形成する充填部１１の上端周縁に鍔状に設けられるものである。また、フランジ部１３におけるヒンジ部１２に対向する側をフロントフランジ部１３ａとして、該フロントフランジ部１３ａには分割スリット１５によって切り離される分割フランジ部１４が備えられている。
【００３９】
分割フランジ部１４は、従来のフランジ部１３と蓋体２０とを止着するスポット溶着の融着によって開封しづらい状態を回避することを目的として設けられるもので、コーナー部１６に蓋体２０がスポット溶着されるためのスポット溶着部２３を形成し、一辺の直線状の分割スリット１５を折ることによって切り離されるものである。また、分割フランジ部１４と蓋体２０との間に乾燥防止用フィルム３０を狭持して副次的に該乾燥防止用フィルム３０の開閉時の離脱を防止する役割を果たすものである。なお、スポット溶着時における乾燥防止用フィルム３０の形状によっては、容器本体１０と蓋体２０と乾燥防止用フィルム３０とが同時にスポット溶着される状態と溶着されない状態が発生するが、その形状はユーザーの意向に依存するものである。
【００４０】
分割スリット１５は、容器本体１０のフロントフランジ部１３ａと分割フランジ部１４の中間位置に設けられて、分割フランジ部１４と蓋体２０とがスポット溶着部２３においてスポット溶着している状態で容器本体１０から分離させるために設けられるものである。
【００４１】
コーナー部１６は、蓋体２０の開閉端部２６の両端と分割フランジ部１４の両端に位置する箇所で、蓋体２０が捲り上がることなく安定してスポット溶着される箇所でもある。従来の納豆容器の多くは、蓋体２０を容器本体１０から分離する際に、このコーナー部１６に指をかけて容器本体１０と蓋体２０を分離する必要があることから、この部分にスポット溶着部２３が設けられることはなかった。
【００４２】
蓋体２０は、容器本体１０のフランジ部１３の一辺にヒンジ部１２を介して開閉する構造で設けられ、納豆Ｎが充填される容器本体１０の充填部１１とフランジ部１３全体を覆う方形の大きさに形成して成り、内側底面にはヒートシール部２１及びヒートシール剤塗布領域２２を備えて成る。
【００４３】
ヒートシール部２１は、蓋体２０の内側底面において、ヒンジ部１２に対して直交する辺の一方側を除いた蓋体２０の三方向辺部（後述する蓋体２０の内側底面に略コの字状に設けられるヒートシール剤塗布領域２２と対応関係）で形成され、該三方向辺部と対向する容器本体１０の
フランジ部１３の三方向辺部とによって圧着されるシール部である。
【００４４】
ヒートシール剤塗布領域２２は、蓋体２０の内側底面に略コの字状に塗布されて成り、乾燥防止用フィルム３０を一辺が開口する袋状にヒートシール溶着させるものである。乾燥防止用フィルム３０を袋状にヒートシール溶着することによって、蓋体２０の開閉と同時に乾燥防止用フィルム３０内に収められているからし袋Ｋやタレ袋Ｔを納豆表面から分離し、さらに蓋体２０を傾けることによって乾燥防止用フィルム３０の切欠き開口口３１からからし袋Ｋやタレ袋Ｔを容易に取り出すことができるものである。
【００４５】
分割スリット２５は、切断されている箇所と連結されている箇所が交互に連続して形成され、該切断されているスリット部を長くとることによって僅かな力で切断しやすくしている（分割スリット１５，４５も同様）もので、食する際に容器本体１０と蓋体２０を分離して食べ易くするために設けられるものである。
【００４６】
乾燥防止用フィルム３０は、ポリエチレン樹脂（ＰＥ）等の薄膜状のフィルムを素材として形成され、容器本体１０の充填部１１に充填される納豆Ｎの上面を被覆し、フランジ部１３全体の上面を覆うと共に、さらにその一辺に切欠き開口口３１を設けた方形の大きさに形成し、納豆表面の乾燥を防止する役割と、からし袋Ｋとタレ袋Ｔを納豆表面と分離する役割と、使用済みのからし袋Ｋとタレ袋Ｔの収納場所ならびに廃棄場所を確保する役割をもって設けられるものである。
【００４７】
その役割をさらに詳しく説明すると、例えばパック詰工程では、からし袋Ｋやタレ袋Ｔを納豆上面に敷設された乾燥防止用フィルム３０上に機械的に同包する役割を果たし、蓋体２０の開閉時には、からし袋Ｋやタレ袋Ｔを納豆上面と分離した状態（一辺が開口する袋状にヒートシール溶着された乾燥防止用フィルム３０内に収まった状態）で開閉する役割を果たし、廃棄時には、からし袋Ｋやタレ袋Ｔを袋状にヒートシール溶着された乾燥防止用フィルム３０内に収納して廃棄する役割を果たすもので、それらは製造段階で新しい設備投資をすることなく従来の製造機械ならびに開閉作業で行うことができるものである。また、容器本体１０から蓋体２０を開閉する際に止着するスポット溶着によって開封しづらい問題や、乾燥防止用フィルム３０を納豆Ｎの上面から引き剥がす際の糸引きＬによって指先や食卓が汚れる問題や、使用済みのからし袋Ｋやタレ袋Ｔの廃棄処分に困る問題を解決するものである。
【００４８】
図２は、本発明における請求項１記載の納豆容器のパック詰工程を示す説明図である。
（１）蓋体２０を開いた状態の納豆容器１が用意される。
（２）納豆菌を散布した納豆Ｎを容器本体１０の充填部１１に充填する。
（３）ロール状の乾燥防止用フィルム３０を熱線ヒーターＨで切欠き開口口３１を設けた方形の大きさに焼き切り、納豆Ｎの上面に敷設する。
（４）乾燥防止用フィルム３０を充填部１１に平坦に押し込み、その後からし袋Ｋとタレ袋Ｔを乾燥防止用フィルム３０の上に載せる。
（５）ヒンジ部１２を前方に倒して蓋体２０を閉める。
（６）蓋体２０のヒートシール剤塗布領域２２と乾燥防止用フィルム３０とをヒートシール溶着機で袋状にヒートシール溶着すると同時に乾燥防止用フィルム３０を容器本体１０の分割フランジ部１４と蓋体２０のヒートシール部２１で狭持した状態でコーナー部１６をスポット溶着機でスポット溶着する。（容器本体１０のフランジ部１３は蓋体２０とは溶着されない）
（７）納豆容器１を醗酵室で発酵させ、その後冷蔵庫で放熱・冷却する。
（８）納豆容器１を自動段積装置によって三段に重ねて帯掛け包装する。
【００４９】
以上のように本発明における納豆容器１のパック詰工程は、従来のパック詰工程と同様な製造工程で構成されるもので、本発明における納豆容器１の導入に当たっては蓋体２０に乾燥防止用フィルム３０を袋状にヒートシール溶着するヒートシール溶着機を設置することで達成されることから製造時間が延長される新たな製造工程を必要としないものである。
【００５０】
図３は、本発明における請求項１記載の納豆容器の開封状態を示す手順図である。
（１）分割フランジ部１４と蓋体２０の開閉端部２６を摘み、分割スリット１５を下方から上方に向けて折って蓋体２０を上方に持ち上げて開く。
（２）蓋体２０と分割フランジ部１４で狭持され袋状にヒートシール溶着されている乾燥防止用フィルム３０が、蓋体２０の開閉と共に納豆上面から引き剥がされる。この時、乾燥防止用フィルム３０の表面に粘着している納豆粘液の糸引きＬは、容器本体１０の充填部１１内に落下して受け止められることによって指先や食卓を汚すことがない。また、乾燥防止用フィルム３０が蓋体２０のヒートシール部２１に袋状にヒートシール溶着されると同時に分割フランジ部１４に挟まれて開閉されるため、従来の乾燥防止用フィルム３０を剥がす行為自体を省略することができる従来にない構造を有するものである。
（３）容器本体１０と蓋体２０を分割スリット２５によって分離させた後、一辺が開口して袋状になっている乾燥防止用フィルム３０の切欠き開口口３１からからし袋Ｋとタレ袋Ｔを取り出す。（分離されている蓋体２０を傾けて取り出しても良い）
（４）納豆容器１０の充填部１１に充填されている納豆Ｎにからしとタレをかける。（図示なし）
（５）使用済みのからし袋Ｋとタレ袋Ｔを蓋体２０の上に置くか、又は一辺が開口する袋状になっている乾燥防止用フィルム３０の切欠き開口口３１の中へ入れて廃棄処分する。（図示なし）
【００５１】
以上のように本発明における納豆容器１の開封作業は、単純に容器本体１０から蓋体２０を上方に開くことによって止着するスポット溶着部２３の分離と納豆上面から乾燥防止用フィルム３０を引き剥がすことができるもので、さらに乾燥防止用フィルム３０が上方に引き剥がされることによって納豆粘液の糸引きＬによって指先が汚れたり、乾燥防止用フィルム３０の端面部から納豆粘液の糸引きＬがはみ出して食卓を汚したりしないものである。
【実施例２】
【００５２】
図４は、本発明における請求項２及び請求項３記載の納豆容器の乾燥防止用フィルムの実施形態を示す説明図である。
図４（ａ）は本発明における請求項２記載の乾燥防止用フィルム３０の周縁の一部に切欠きコーナー部３３と切欠き開口口３１を設けたもので、切欠き開口口３１を形成するために上下の二辺の寸法は短く形成されている。かかる態様を採用することにより、方形状をなす乾燥防止用フィルム３０の四隅が切欠かれることとなるため、蓋体２０と分割フランジ部１４とをスポット溶着する場合（後述する押さえ込みフランジ部４０が存在する場合は該押さえ込みフランジ部４０と蓋体２０あるいは分割フランジ部１４とをスポット溶着する場合も含む）に、スポット溶着部２３（２３ａ）において該乾燥防止用フィルム３０を挟み込むことなく、当該スポット溶着が可能となる。
【００５３】
図４（ｂ）は本発明における請求項３記載の乾燥防止用フィルム３０の周縁に切込みライン３４を複数設けたものである。かかるの乾燥防止用フィルム３０の実施形態を採用することにより、容器本体１０の充填部１１に納豆Ｎを充填して上方から押し込む時に納豆Ｎの上面まで乾燥防止用フィルム３０を落ち込ませることが可能となり、それによって発生するしわを吸収して見た目を良くすることができると共に、乾燥防止機能をより効果的に発揮させることが可能となる。
【実施例３】
【００５４】
図５は、本発明における請求項４記載の納豆容器の乾燥防止用フィルムの実施形態を示す説明図である。
図５（ａ）は被覆状態の平面図を示し、図５（ｂ）は被覆状態の側面図を示す。
薄膜成型シート３５は、容器本体１０の充填部１１を凹部状に被覆し、該凹部状の側壁面３２の一方に切欠き開口部３６を設けると共に、フランジ部１３の上面を被覆する形状に成型されたポリエチレン樹脂（ＰＥ）製等を素材として厚み０．１〜０．２ｍｍ程度の柔らかさと硬さを兼ね備える乾燥防止用の成型シートである。かかる態様を採用することにより、乾燥防止用フィルム３０を被覆した場合と比較して発生するしわを吸収し見た目を良くし、さらに納豆表面の乾燥を防止することができるものである。
【実施例４】
【００５５】
図６は、本発明における請求項５記載の納豆容器の全体を示す説明図である。
本発明の納豆容器１は、納豆Ｎが充填される充填部１１を備える容器本体１０と、該容器本体１０にヒンジ部１２を介して開閉ならびに分割可能に連設される蓋体２０と、納豆上面の乾燥防止を図る乾燥防止用フィルム３０と、押さえ込みフランジ部４０と、で構成され、容器本体１０のフロントフランジ部１３ａと充填部１１の上面を形成するフランジ部１３全体と分割フランジ部１４と分割スリット１５とスポット溶着部２３とを折り畳みヒンジ部４２を介して対称に位置する押さえ込みフランジ部４０を形成して連接し、容器本体１０のヒンジ部１２側に該スポット溶着部２３ａの溶着手段を回避する切欠き部１７を設けて構成される。
【００５６】
押さえ込みフランジ部４０は、中央に容器本体１０の充填部１１の開口部１１ａと同形状の開口穴４１を設けると共に、蓋体２０のヒンジ部１２付近と押さえ込みフランジ部４０のフランジ部４３ｂのコーナー部１６の両端にスポット溶着部２３ａを設けて乾燥防止用フィルム３０の周縁を囲むように設けられるもので、その充填部１１の開口部１１ａの周縁を押さえ込みフランジ部４０で囲むことによって、乾燥防止用フィルム３０が安定的且つ、見た目にも綺麗に押さえ込むことができるものである。
【００５７】
折り畳みヒンジ部４２は、容器本体１０の分割フランジ部１４の一辺と、押さえ込みフランジ部４０の分割フランジ部４４とを連設するヒンジ部で、押さえ込みフランジ部４０が折り畳みヒンジ部４２によって折り畳まれることで、乾燥防止用フィルム３０の周縁を該押さえ込みフランジ部４０で押さえ込むことができるものである。
【００５８】
分割フランジ部４４は、押さえ込みフランジ部４０において折り畳みヒンジ部４２を介して容器本体１０の分割フランジ部１４と対称に設けられるもので、一辺の直線状の容器本体１０の分割フランジ部１４を分離する分割スリット１５と押さえ込みフランジ部４０の分割フランジ部４４を分離する分割スリット４５を同時に折ることによって、容器本体１０のフロントフランジ部１３ａから切り離され、さらに乾燥防止用フィルム３０を蓋体２０と挟み込んだ状態で、蓋体２０のコーナー部１６の両端部におけるスポット溶着部２３にてスポット溶着されるものである。
【００５９】
分割スリット１５は、フロントフランジ部１３ａと分割フランジ部１４の中間位置に設けられ、止着するスポット溶着によって融着する蓋体２０と容器本体１０の分割フランジ部１４と押さえ込みフランジ部４０の分割フランジ部４４の分割を容易なものにするものである。また、分割スリット４５は、分割スリット１５を折りやすくするために補助的に設けられるものである。
【００６０】
蓋体２０は、方形の形状のコーナー部１６にスポット溶着部２３、２３ａが設けられ、押さえ込みフランジ部４０のスポット溶着部２３、２３ａとによって乾燥防止用フィルム３０を狭持した状態でスポット溶着されるものである。
【００６１】
図７は、本発明における請求項５記載の納豆容器のパック詰工程を示す説明図である。
（１）蓋体２０を上方に開き、押さえ込みフランジ部４０を折り畳みヒンジ部４２で閉じた状態の納豆容器１が用意される。
（２）納豆菌を散布した納豆Ｎを容器本体１０の充填部１１に充填する。
（３）ロール状の乾燥防止用フィルム３０を熱線ヒーターＨで一辺に切欠き開口口３１を設けた方形の大きさに焼き切り、納豆Ｎの上面に敷設する。
（４）乾燥防止用フィルム３０を充填部１１に平坦に押し込み、その後からし袋Ｋとタレ袋Ｔを乾燥防止用フィルム３０の上に載せる。
（５）ヒンジ部１２を倒して蓋体２０を閉める。
（６）容器本体１０の分割フランジ部１４と蓋体２０のコーナー部１６のスポット溶着部２３、２３ａをスポット溶着機でスポット溶着する。この時、押さえ込みフランジ部４０と蓋体２０は溶着されて一体化されるが、蓋体２０の溶着部２３ａは切欠き部１７によって容器本体１０のフランジ部１３とは溶着されない。また、図示はしていないが、蓋体２０の下面に略コの字状のヒートシール剤塗布領域２２を設けて乾燥防止用フィルム３０の上面をスポット溶着と同時にヒートシール溶着することも可能である。
（７）納豆容器１を醗酵室で発酵させ、その後冷蔵庫で放熱・冷却する。（図示なし）
（８）納豆容器１を自動段積装置によって三段に重ねて帯掛け包装する。（図示なし）
【００６２】
以上のように本発明における納豆容器１のパック詰工程は、従来のパック詰工程と同様な製造工程で構成されるため、本発明における納豆容器１の導入に当たっては乾燥防止用フィルム３０を押さえ込みフランジ部４０と蓋体２０で挟み込んだ状態で従来のスポット溶着機を使用して溶着することができることから製造時間が延長される新たな製造工程を必要としないものである。
【００６３】
図８は、本発明における請求項５記載の納豆容器の開封状態を示す手順図である。
（１）折り畳みヒンジ部４２と蓋体２０の開閉端部２６を摘み、分割スリット１５（分割スリット４５は折りやすくするために副次的に設けてある）を下方から上方に向けて折って蓋体２０を上方に持ち上げて開く。
（２）蓋体２０と押さえ込みフランジ部４０とがスポット溶着され狭持されている乾燥防止用フィルム３０が、蓋体２０の開閉と共に納豆上面から引き剥がされる。この時、乾燥防止用フィルム３０の表面に粘着している納豆粘液の糸引きＬは容器本体１０の充填部１１で受け止められて指先や食卓を汚すことがない上に、乾燥防止用フィルム３０が蓋体２０に押さえ込みフランジ部４０でスポット溶着されて開閉されるため、従来の乾燥防止用フィルム３０を剥がす行為自体を省略することができる従来にない構造を有するものである。
（３）分割スリット２５を折って容器本体１０と蓋体２０を分離させた後、一辺が開口して袋状になっている乾燥防止用フィルム３０の切欠き開口口３１の中からからし袋Ｋとタレ袋Ｔを取り出す。（分離されている蓋体２０を傾けて取り出しても良い）
（４）納豆容器１０の充填部１１に充填されている納豆Ｎにからしとタレをかける。（図示なし）
（５）使用済みのからし袋Ｋとタレ袋Ｔを蓋体２０の上に置くか、又は一辺が開口する袋状になっている乾燥防止用フィルム３０の中へ入れて廃棄処分する。（図示なし）
【００６４】
以上のように本発明における納豆容器１の開閉作業は、単純に容器本体１０から蓋体２０を上方に開くことによって止着するスポット溶着部２３の分離と納豆上面から乾燥防止用フィルム３０を容易に引き剥がすことができるもので、さらに乾燥防止用フィルム３０が上方に引き剥がされることによって納豆粘液の糸引きＬによって指先が汚れたり、乾燥防止用フィルム３０の端面部から納豆粘液の糸引きＬがはみ出して食卓を汚したりしないものである。
【産業上の利用可能性】
【００６５】
本発明の納豆容器は、納豆容器以外の粘性や臭気の強い食品包装容器としてや、別添の調味料を内包する食材容器として利用できることから、本発明における納豆容器の産業上の利用可能性は大とするものと解する。
【符号の説明】
【００６６】
１    納豆容器
１０    容器本体
１１    充填部
１１ａ  開口部
１２    ヒンジ部
１３    フランジ部
１３ａ  フロントフランジ部
１４    分割フランジ部
１５    分割スリット
１６    コーナー部
１７    切欠き部
２０    蓋体
２１    ヒートシール部
２２    ヒートシール剤塗布領域
２３    スポット溶着部
２３ａ  スポット溶着部
２５    分割スリット
２６    開閉端部
３０    乾燥防止用フィルム
３１    切欠き開口口
３２    側壁面
３３    切欠きコーナー部
３４    切込みライン
３５    薄膜成型シート
３６    切欠き開口部
４０    押さえ込みフランジ部
４１    開口穴
４２    折り畳みヒンジ部
４３    フランジ部
４３ａ  フロントフランジ部
４４    分割フランジ部
４５    分割スリット
Ｎ    納豆
Ｌ    糸引き
Ｋ    からし袋
Ｔ    タレ袋
Ｈ    熱線ヒーター
【図１】
2013180798.tif 000003
【図２】
2013180798.tif 000004
【図３】
2013180798.tif 000005
【図４】
2013180798.tif 000006
【図５】
2013180798.tif 000007
【図６】
2013180798.tif 000008
【図７】
2013180798.tif 000009
【図８】
2013180798.tif 000010